(57)【要約】      （修正有）【課題】ブラカップに良好に適合し、ブラジャーや女性用胴着の機能を改善し、ブラカップを良好にサポートすると共にブラカップの当て物となり、スチール・リングが存在することを分からせるような形跡を与えないブラジャーの3D スチール・リングを提供する。【解決手段】半円状のスチール・リングが所定の固定された角度を有する曲面を持つように曲げられた半円状のスチール・リングとなるようにした。半円状のスチール・リングの一方の端部は、センターとしてのスチール・リングの軸が45°より大きく90°より小さくなる範囲で曲げられており、他方の端部は、センターとしてのスチール・リングの軸が25°より大きく60°より小さくなる範囲で曲げられており、前記半円状のスチール・リングの底の円弧部分の断面はもともとの半円状の形状を維持している。【選択図】図５
0003113251.tif 000002
【実用新案登録請求の範囲】
【請求項１】
半円状のスチール・リング(1)を有するブラジャー用の3D スチール・リングであって、前記半円状のスチール・リング(1)が所定の固定された角度を有する曲面を持つように曲げられた半円状のスチール・リングであることを特徴とするスチール・リング。
【請求項２】
請求項1に記載したブラジャー用の3D スチール・リングであって、前記半円状のスチール・リング(1)の一方の端部は、センターとしてのスチール・リングの軸が45°より大きく90°より小さくなる範囲(a)で曲げられており、他方の端部は、センターとしてのスチール・リングの軸が25°より大きく60°より小さくなる範囲(b)で曲げられており、前記半円状のスチール・リング(1)の底の円弧部分の断面(A)はもともとの半円状の形状を維持していることを特徴とするスチール・リング。
【請求項３】
請求項1または2に記載したブラジャー用の3D スチール・リングであって、前記半円状のスチール・リング(1)の一方の端部(2)は、センターとしてのスチール・リングの軸が
75°の交差角(a)だけ曲げられそして回転されており、他方の端部(3)は、センターとしてのスチール・リングの軸が45°の交差角(b)だけ曲げられそして回転されており、前記半円状のスチール・リング(1)の底の円弧部分の断面(A)はもともとの半円状の形状を維持していることを特徴とするスチール・リング。
【考案の詳細な説明】
【技術分野】
【０００１】
本考案は、ブラジャー用の3D スチール・リングに係り、特に服飾アクセサリの分野に属するものである。
【背景技術】
【０００２】
一般的に、ブラジャーや女性用胴着のような現状の女性用下着のブラカップの位置には、ブラに当て物をするための半月状のスチール・リングが使用されている。かかるスチール・リングは通常スチール・ストリップを半円状に曲げることにより作られている。この半円は平坦であり、ブラカップのエッジ部分に当て物として使用した場合、半球状の形状に適合できるものではない。従って、スチール・リングが本来の機能を発揮することができず、それを着用した際に、ブラカップ上にスチール・リングが使われていることが分かるようになる。このように、ブラカップ上にスチール・リングが存在することが分かるということは、現代の人々のニーズに適合するものではなく、外観にも大きく影響を及ぼすものである。
【考案の開示】
【考案が解決しようとする課題】
【０００３】
本考案が解決しようとする課題は、ブラカップに良好に適合し、ブラジャーや女性用胴着の機能を改善し、ブラカップを良好にサポートすると共にブラカップの当て物となり、スチール・リングが存在することを分からせるような形跡を与えないブラジャー用の3D スチール・リングを提供することにある。
【課題を解決するための手段】
【０００４】
上述した課題を解決するため、本考案では以下に説明するような方法を取った。
【０００５】
半円状のスチール・リングを有するブラジャー用の3D スチール・リングであって、前記半円状のスチール・リングが所定の固定された角度を有する曲面を持つように曲げられた半円状のスチール・リングとなるようにした。
【０００６】
前記半円状のスチール・リングの一方の端部は、センターとしてのスチール・リングの軸が45°より大きく90°より小さくなる範囲で曲げられており、他方の端部は、センターとしてのスチール・リングの軸が25°より大きく60°より小さくなる範囲で曲げられており、前記半円状のスチール・リングの底の円弧部分の断面はもともとの半円状の形状を維持している。
【０００７】
前記半円状のスチール・リングの一方の端部は曲げられ、交差角75°となるよう回転され、他方の端部は曲げられ、交差角45°となるよう回転されている。
【考案の効果】
【０００８】
本考案によれば、ブラジャーや女性用胴着のような女性用下着に使用する従来のスチール・リングはブラカップの形状に適合しないという問題を解決することができ、スチール・リングがその機能を良く達成し、ブラジャーや女性用胴着の機能を向上させ、スチール・リングがブラカップを良くサポートすると共にブラカップの当て物となり、胸部にくぼみが生じるのを防止し、スチール・リングが使われている形跡を見せることなく下着を体に良くフィットさせ、審美的な効果を改善することができるようになる。
【考案を実施するための最良の実施形態】
【０００９】
以下に、図1, 2, 3, 4および5に基づき、本願考案の好適な実施例についての詳細な説明を行う。
【００１０】
従来技術の欠点を解消するため、本願考案においては、半円状のスチール・リング(1)を所定の固定された角度を有する曲面を持つように曲げられた半円状のスチール・リングとし、前記半円状のスチール・リング(1)の一方の端部は、センターとしてのスチール・リングの軸が45°より大きく90°より小さくなる範囲(a)で曲げられており、他方の端部は、センターとしてのスチール・リングの軸が25°より大きく60°より小さくなる範囲(b)で曲げられており、前記半円状のスチール・リング(1)の底の円弧部分の断面(A)はもともとの半円状の形状を維持している。 本考案は、従来の平坦なスチール・リングをある程度の引張応力をかけて3Dのスチール・リングにしたものであり、スチール・リングがブラカップ半球状の形状に良く適合し、ブラジャーを着用した際にスチール・リングが使用されている形跡が分からないようになっている。この曲げられた構造においては、前記半円状のスチール・リング(1)の底の円弧部分の断面(A)は水平面に対して直角になっている。この実施例においては、前記半円状のスチール・リング(1)の一方の端部(2)は、センターとしてのスチール・リングの軸が75°の交差角(a)だけ曲げられそして回転されている。そしてスチール・リング(1)の他方の端部(3)は、センターとしてのスチール・リングの軸が45°の交差角(b)だけ曲げられそして回転されている。更に、前記半円状のスチール・リング(1)の底の円弧部分の断面(A)はもともとの半円状の形状を維持している。
【００１１】
このスチール・リングを実際に応用する際には、スチール・リング(1)の全体が下着のブラカップ(4)部に縫いこまれ、ブラカップ(4)の表面の角度に適合するようになっている。その結果、スチール・リングが使われている形跡を見せることなくスチール・リングがブラカップを良くサポートすると共にブラカップの当て物となり、下着を体に良くフィットさせ、審美的な効果を実現することができるようになる。
【図面の簡単な説明】
【００１２】
【図１】本考案の構造を示した図である。
【図２】本考案に係るスチール・リングの端面がB方向に回転している状態を示したものである。
【図３】本考案に係るスチール・リングの端面がC方向に回転している状態を示したものである。
【図４】本考案に係るスチール・リングのA-A断面における断面構造を示したものである。
【図５】本考案に係る実施例を示したものである。
【符号の説明】
【００１３】
1       スチール・リング
2       一方の端部
3       他方の端部
4       ブラカップ
【図１】
0003113251.tif 000003
【図２】
0003113251.tif 000004
【図３】
0003113251.tif 000005
【図４】
0003113251.tif 000006
【図５】
0003113251.tif 000007